(57)【要約】      （修正有）【課題】操作時において支柱が台座に対して回転することを抑制できる実験用スタンドを提供する。【解決手段】本考案の実験用スタンド１００は、支柱１および台座２を備えている。支柱１は、本体部１１および張出部１２を含んでいる。本体部１１は、上下に延びている。張出部１２は、本体部１１から側方に張り出している。張出部１２は、少なくとも１つの係合部を有している。台座２には、張出部１２よりも下側において本体部１１が取り付けられている。台座２は、少なくとも１つの被係合部を含んでいる。少なくとも１つの係合部は、支柱１が台座２に対して回転することを抑制するように、少なくとも１つの被係合部と係合している。【選択図】図１
0003223994.tif 000002
【実用新案登録請求の範囲】
【請求項１】
上下に延びる本体部と、前記本体部から側方に張り出し、かつ少なくとも１つの係合部を有する張出部とを含む支柱と、
前記張出部よりも下側において前記本体部が取り付けられ、かつ少なくとも１つの被係合部を含む台座とを備え、
前記少なくとも１つの係合部は、前記支柱が前記台座に対して回転することを抑制するように、前記少なくとも１つの被係合部と係合する、実験用スタンド。
【請求項２】
雌ネジ部材をさらに備え、
前記本体部は、雄ネジ部を含み、
前記雌ネジ部材は、前記雄ネジ部と螺合し、かつ前記張出部とで前記台座を挟み込む、請求項１に記載の実験用スタンド。
【請求項３】
前記張出部は、前記本体部と別体であり、かつ前記本体部に対して回転することを抑制するように取り付けられている、請求項１または２に記載の実験用スタンド。
【請求項４】
ピン部材をさらに備え、
前記張出部は、外周面と、内周面とを含み、かつ前記外周面から前記内周面に向かって前記張出部を貫通している横穴が設けられており、
前記ピン部材は、前記横穴に挿入されることにより、前記本体部に対して前記張出部を固定している、請求項３に記載の実験用スタンド。
【請求項５】
前記本体部には、凹部が設けられ、
前記ピン部材は前記凹部に嵌められている、請求項４に記載の実験用スタンド。
【請求項６】
前記張出部は、貫通孔が設けられた環形状を有し、
前記本体部は、前記貫通孔に挿入されている、請求項３〜５のいずれか１項に記載の実験用スタンド。
【請求項７】
前記少なくとも１つの係合部は、第１係合部および第２係合部を含み、
前記少なくとも１つの被係合部は、第１被係合部および第２被係合部を含み、
前記第１係合部および前記第２係合部は、前記本体部を挟んで配置され、
前記第１被係合部は、前記第１係合部に係合し、
前記第２被係合部は、前記第２係合部に係合する、請求項１〜６のいずれか１項に記載の実験用スタンド。
【請求項８】
前記第１係合部および前記第２係合部は、前記本体部の中心に対して点対称に配置されている、請求項７に記載の実験用スタンド。
【考案の詳細な説明】
【技術分野】
【０００１】
本考案は、実験用スタンドに関するものである。
【背景技術】
【０００２】
実験用スタンドは、例えば、実開平６−６３１３８号公報（特許文献１）、実開昭５９−０８２５４６号公報（特許文献２）および実開昭５６−１４６４４２号公報（特許文献３）に開示されている。これらの文献の実験用スタンドは、支柱が台座に螺合されている。
【先行技術文献】
【特許文献】
【０００３】
【特許文献１】実開平６−６３１３８号公報
【特許文献２】実開昭５９−０８２５４６号公報
【特許文献３】実開昭５６−１４６４４２号公報
【考案の概要】
【考案が解決しようとする課題】
【０００４】
従来の実験用スタンドにおいては、支柱は、台座と螺合されることで、台座と締結されている。このため、実験用スタンドの操作時に、支柱が台座に対して回転し得る。
【０００５】
本考案は、上記課題に鑑みてなされたものであり、その目的は、操作時において支柱が台座に対して回転することを抑制できる実験用スタンドを提供することである。
【課題を解決するための手段】
【０００６】
本考案の実験用スタンドは、支柱および台座を備えている。支柱は、本体部および張出部を含んでいる。本体部は、上下に延びている。張出部は、本体部から側方に張り出している。張出部は、少なくとも１つの係合部を有している。台座には、張出部よりも下側において本体部が取り付けられている。台座は、少なくとも１つの被係合部を含んでいる。少なくとも１つの係合部は、支柱が台座に対して回転することを抑制するように、少なくとも１つの被係合部と係合している。
【考案の効果】
【０００７】
本考案によれば、操作時において支柱が台座に対して回転することを抑制できる実験用スタンドを提供することができる。
【図面の簡単な説明】
【０００８】
【図１】本考案の一実施の形態に係る実験用スタンドの構成を概略的に示す斜視図である。
【図２】本考案の一実施の形態に係る実験用スタンドの構成を概略的に示す分解斜視図である。
【図３】本考案の一実施の形態に係る実験用スタンドの構成を概略的に示す部分側面図である。
【図４】本考案の一実施の形態に係る実験用スタンドの構成を上側から概略的に示す平面図である。
【図５】図３のＶ−Ｖ線に沿った断面図である。
【図６】本考案の一実施の形態に係る支柱の構成を下側から概略的に示す底面図である。
【図７】本考案の一実施の形態に係る実験用スタンドの変形例における台座の構成を示す斜視図である。
【図８】本考案の一実施の形態に係る実験用スタンドの変形例における支柱の構成の一部を示する側面図である。
【考案を実施するための形態】
【０００９】
以下、本考案の実施の形態について図に基づいて説明する。なお、以下では、同一または相当する部分に同一の符号を付すものとし、重複する説明は繰り返さない。また、適宜、図の一部を省略しており、省略した箇所は図において省略線で示している。
【００１０】
＜実験用スタンド１００の構成＞
まず、図１〜図６を用いて、本実施の形態に係る実験用スタンド１００の構成について説明する。図１〜図４のそれぞれは、本実施の形態に係る実験用スタンド１００の構成を概略的に示す斜視図、分解斜視図、部分側面図、平面図である。図５は図３のＶ−Ｖ線に沿った断面図であり、図６は本実施の形態に係る支柱の構成を下側から概略的に示す底面図である。
【００１１】
図１および図２に示されるように、実験用スタンド１００は、支柱１と、台座２と、雌ネジ部材３とを有している。実験用スタンド１００は、各種実験に用いられる。実験用スタンド１００は、例えば教科書に記載される理科学習用の実験を学校で行う場合にも用いられ得る。
【００１２】
図１に示されるように、台座２は、例えば机の上に載置される。支柱１は、台座２に取り付けられ、台座２の上方へ延びている。
【００１３】
台座２は、主部２ａと、第１脚部２ｃと、第２脚部２ｄと、複数の高さ調整部材２ｂとを有している。主部２ａ、第１脚部２ｃおよび第２脚部２ｄは、例えば鋳造により一体に構成されている。主部２ａ、第１脚部２ｃおよび第２脚部２ｄの材料は、例えば、亜鉛（Ｚｎ）、ステンレスなどである。
【００１４】
主部２ａは、横方向に例えば直線状に延びている。主部２ａの横方向における一方端部には第１脚部２ｃが接続されている。主部２ａの横方向における他方端部には第２脚部２ｄが接続されている。主部２ａは、第１脚部２ｃおよび第２脚部２ｄを繋いでいる。
【００１５】
第１脚部２ｃおよび第２脚部２ｄの各々は、主部２ａの延びる方向に対して例えば直交する方向に延びている。このため第１脚部２ｃおよび第２脚部２ｄの各々の長手方向は、主部２ａの長手方向に例えば直交している。
【００１６】
第１脚部２ｃの長手方向と第２脚部２ｄの長手方向とは、互いに略平行である。主部２ａ、第１脚部２ｃおよび第２脚部２ｄは、支柱１の延びる方向（上下方向）に沿って上から見た視点（平面視）において例えばＨ字形状を有している。
【００１７】
第１脚部２ｃの長手方向における両端部の各々の下部には高さ調整部材２ｂが取り付けられている。また第２脚部２ｄの長手方向における両端部の各々の下部にも高さ調整部材２ｂが取り付けられている。複数（例えば４つ）の高さ調整部材２ｂの各々は、机の載置面に対する台座２の高さを調整可能に構成されている。高さ調整部材２ｂの材質は、例えばゴムである。
【００１８】
図３に示されるように、主部２ａには貫通孔２ｅが設けられている。貫通孔２ｅは、主部２ａの上面から下面に亘って主部２ａの厚み方向に主部２ａを貫通している。貫通孔２ｅは、貫通孔２ｅから第１脚部２ｃまでの距離と貫通孔２ｅから第２脚部２ｄまでの距離とが例えば略同じとなる位置に配置されている。
【００１９】
図１に示されるように、支柱１の材料は、例えばステンレスなどである。支柱１は、本体部１１と、張出部１２とを含んでいる。本体部１１は、支柱１が台座２に取り付けられた状態で上下方向に延びる棒形状に構成されている。
【００２０】
本体部１１は、例えば柱形状を有しており、円柱形状であってもよく、また角柱形状であってもよい。このため本体部１１の水平方向における断面形状は、例えば、円形または多角形などである。本体部１１が円柱である場合、本体部１１の外径は、例えば、９ｍｍ以上１２ｍｍ以下である。
【００２１】
張出部１２は、本体部１１から側方に張り出している。張出部１２は、本体部１１の例えば外周全周から側方に張り出している。張出部１２は、支柱１が台座２に取り付けられた状態で台座２の主部２ａの直上に配置されている。張出部１２の下面は、台座２の主部２ａの上面に接していてもよい。
【００２２】
図４に示されるように、平面視において、張出部１２の外形は例えば円形状を有している。平面視において本体部１１および張出部１２の各々の外形が円形状である場合、張出部１２の直径Ｄ２は本体部１１の直径Ｄ１よりも大きい。
【００２３】
図２に示されるように、本体部１１には雄ネジ部１１１が設けられている。雄ネジ部１１１は、本体部１１の下端外周部に設けられている。雄ネジ部１１１は、張出部１２よりも下方に位置している。
【００２４】
本体部１１の張出部１２よりも下方の部分（雄ネジ部１１１が形成された部分を含む部分）の横方向の断面形状は、主部２ａの貫通孔２ｅの開口形状よりも小さい。このため本体部１１の張出部１２よりも下方の部分は、主部２ａの貫通孔２ｅに挿入可能である。
【００２５】
一方、張出部１２の横方向の断面形状は、主部２ａの貫通孔２ｅの開口形状よりも大きい。このため張出部１２は、主部２ａの貫通孔２ｅに挿入することができない。これにより本体部１１の張出部１２よりも下方の部分が主部２ａの貫通孔２ｅに挿入される際に、張出部１２の下面が主部２ａの上面に接触した時点で、本体部１１の貫通孔２ｅへの挿入は停止する。
【００２６】
図３に示されるように、本体部１１の下部が貫通孔２ｅに挿入された状態において、本体部１１は、貫通孔２ｅを通って台座２と交差している。本体部１１は、望ましくは、台座２と直交している。
【００２７】
本体部１１の下部が貫通孔２ｅに挿入された状態において、本体部１１の下端は主部２ａの下面よりも下方に位置している。この状態において、雄ネジ部１１１が設けられた本体部１１の部分は、貫通孔２ｅから下方に突き出している。
【００２８】
雌ネジ部材３は、例えば蝶ネジ、ナットなどである。雌ネジ部材３は、支柱１の雄ネジ部１１１に螺合可能である。貫通孔２ｅから下方に突き出した雄ネジ部１１１に雌ネジ部材３が螺合されている。雌ネジ部材３が雄ネジ部１１１に螺合した状態で、雌ネジ部材３の上面は、主部２ａの下面と接している。また雌ネジ部材３は、主部２ａの下面よりも下方に位置し、かつ高さ調整部材２ｂの下端よりも上方に位置している。
【００２９】
雌ネジ部材３が支柱１の雄ネジ部１１１に螺合されることにより、雌ネジ部材３と張出部１２とにより台座２の主部２ａが挟み込まれる。これにより支柱１は台座２に取り付けられ、固定されている。
【００３０】
なお、雌ネジ部材３は、雄ネジ部１１１に対して着脱可能である。雌ネジ部材３が雄ネジ部１１１から取り外されることにより、支柱１を台座２から取り外すことが可能である。このように実験用スタンド１００は、分解および組立可能となるように構成されている。
【００３１】
図３に示されるように、張出部１２は、少なくとも１つの係合部１２１を有している。一方、台座２は、少なくとも１つの被係合部２１を有している。少なくとも１つの係合部１２１は、少なくとも１つの被係合部２１と係合している。これにより支柱１が台座２に対して回転することが抑制されている。
【００３２】
少なくとも１つの係合部１２１は、１つの係合部であってもよく、また複数の係合部であってもよい。本実施の形態においては、張出部１２は、例えば２つの係合部１２１を有している。
【００３３】
係合部１２１の形状は、例えば切り欠き、孔などの凹形状である。本実施の形態においては係合部１２１は、張出部１２を上下方向に貫通する貫通孔である。ただし係合部１２１は、凹形状に限定されず、例えばピンなどの凸形状であってもよい。
【００３４】
少なくとも１つの被係合部２１は、１つの被係合部であってもよく、また複数の被係合部２１であってもよい。本実施の形態においては、台座２は、例えば２つの被係合部２１を有している。
【００３５】
被係合部２１は、例えばピンなどの凸形状である。本実施の形態においては被係合部２１は、台座２の上面から上方へ突き出したピン形状の凸部である。ただし係合部１２１は、凸形状に限定されず、例えば切り欠き、孔などの凹形状であってもよい。
【００３６】
係合部１２１と被係合部２１とは、上記のとおり互いに係合している。具体的には貫通孔よりなる係合部１２１にピン形状の凸部よりなる被係合部２１が挿入されている。係合部１２１と被係合部２１とが互いに係合することにより、支柱１が台座２に対して回転することが抑制されている。
【００３７】
図２に示されるように、少なくとも１つの被係合部２１は、第１被係合部２１ａおよび第２被係合部２１ｂを含んでいる。第１被係合部２１ａおよび第２被係合部２１ｂは、本体部１１を挟んで配置されている。第１被係合部２１ａおよび第２被係合部２１ｂの各々は、例えばピンなどの凸形状である。
【００３８】
第１被係合部２１ａと、第２被係合部２１ｂとは、本体部１１の中心（例えば軸心Ｃ）を中心とする同一円周上に位置するように台座２に配置されている。第１被係合部２１ａおよび第２被係合部２１ｂは、本体部１１の中心（例えば軸心Ｃ）に対して点対称に配置されている。
【００３９】
少なくとも１つの係合部１２１は、第１係合部１２１ａおよび第２係合部１２１ｂを含んでいる。第１係合部１２１ａおよび第２係合部１２１ｂは、本体部１１を挟んで配置されている。
【００４０】
第１係合部１２１ａと、第２係合部１２１ｂとは、本体部１１の中心（例えば軸心Ｃ）を中心とする同一円周上に位置するように張出部１２に配置されている。第１係合部１２１ａおよび第２係合部１２１ｂは、本体部１１の中心（例えば軸心Ｃ）に対して点対称に配置されている。
【００４１】
第１被係合部２１ａおよび第２被係合部２１ｂが配置されている円周における円の直径と、第１係合部１２１ａおよび第２係合部１２１ｂが配置されている円周における円の直径とは互いに等しい。すなわち、第１係合部１２１ａと、第２係合部１２１ｂと、第１被係合部２１ａと、第２被係合部２１ｂとは、本体部１１の中心（例えば軸心Ｃ）を中心とする同一円周上に位置している。
【００４２】
図３に示されるように、第１被係合部２１ａは第１係合部１２１ａに係合している。第２被係合部２１ｂは第２係合部１２１ｂに係合している。
【００４３】
本実施の形態において、張出部１２は、本体部１１と別体であってもよく、また本体部１１と一体であってもよい。張出部１２が本体部１１と別体である場合、張出部１２の形状は、環形状であってもよいし、Ｃ字型であってもよい。張出部１２は、本体部１１に対して回転することが抑制されるように取り付けられている。
【００４４】
図６に示されるように、張出部１２が環形状を有する場合、張出部１２は内周面１２Ｉと外周面１２Ｏとを有している。張出部１２の内周面１２Ｉは、張出部１２の貫通孔１２Ｔを構成している。貫通孔１２ＴＨは、本体部１１が挿入可能となるように、本体部１１の外径以上の外径を有している。
【００４５】
貫通孔１２ＴＨ内に、本体部１１が挿入されている。張出部１２は、本体部１１を囲んでいる。張出部１２は貫通孔１２ＴＨを有していれば、張出部１２の外形は円形に限られず、例えば多角形などでもよい。
【００４６】
図５に示されるように、張出部１２は、横穴１２ＳＨを有している。横穴１２ＳＨは、環形状の張出部１２を径方向に貫通している。具体的には横穴１２ＳＨは、環形状の張出部１２における外周面１２Ｏから内周面１２Ｉに達している。横穴１２ＳＨは、例えばネジ穴などである。
【００４７】
また本体部１１の外周面には、凹部１１２が設けられている。凹部１１２は、例えば本体部１１の中心に対して凹んでいる面でもよい。凹部１１２は、例えば、本体部１１の外周面１２Ｏに設けられた平坦な面でもよい。凹部１１２は、内周面１２Ｉと向かい合っている。凹部１１２は、横穴１２ＳＨの開口と径方向に向かい合っている。
【００４８】
図２に示されるように、実験用スタンド１００は、ピン部材４をさらに有していてもよい。ピン部材４は、張出部１２が本体部１１と別体である場合に、張出部１２が本体部１１に対して回転することを抑制するための部材である。ピン部材４は、例えばピン、ネジ、イモネジなどである。
【００４９】
ピン部材４は、張出部１２の横穴１２ＳＨに挿入されている。ピン部材４は、横穴１２ＳＨから内周側へ突き出している。横穴１２ＳＨよりも内周側へ突き出したピン部材４の部分は、本体部１１の凹部１１２に嵌められている。
【００５０】
ピン部材４は、横穴１２ＳＨに挿入され、かつ凹部１１２に嵌められることにより、本体部１１に対して張出部１２を固定している。ピン部材４が凹部１１２に嵌められた状態において、ピン部材４は凹部１１２において本体部１１に押し付けられていてもよい。
【００５１】
図１に示されるように、支柱１および台座２の位置合わせのために、位置合わせマークＭＫが支柱１および台座２に設けられてもよい。位置合わせマークＭＫは、位置合わせ上側マークＭＫｕおよび位置合わせ下側マークＭＫｄを含んでいてもよい。
【００５２】
位置合わせ上側マークＭＫｕは、例えば支柱１の張出部１２の側面に設けられている。位置合わせ下側マークＭＫｄは、例えば台座２の上面に設けられている。位置合わせ上側マークＭＫｕおよび位置合わせ下側マークＭＫｄは、係合部１２１および被係合部２１が係合する位置を示すように設けられている。位置合わせマークＭＫは、例えば支柱１および台座２にシールで付されてもよいし、支柱１および台座２にプリント（印字）されてもよいし、支柱１および台座２の一部を削って付されてもよい。
【００５３】
＜変形例＞
次に、本実施の形態に係る実験用スタンドの変形例の構成について図７、図８を用いて説明する。図７は、本考案の一実施の形態に係る実験用スタンドの変形例における台座およびの構成を示す斜視図である。図８は、本考案の一実施の形態に係る実験用スタンドの変形例における支柱の構成を一部を示する側面図である。
【００５４】
図７に示されるように、本実施の形態の変形例において、被係合部２１は、台座２に設けられた孔である。また図８に示されるように、本実施の形態の変形例において、係合部１２１は、ピンである。
【００５５】
図７に示された孔である被係合部２１に、図８に示されたピンである係合部１２１が挿入される。これにより、支柱１が台座２に対して回転することが抑制されている。
【００５６】
＜本実施の形態の作用効果＞
次に、本実施の形態に係る実験用スタンド１００の作用効果について説明する。
【００５７】
実験用スタンド１００を用いる実験においては、図示されない汎用クランプが用いられ得る。汎用クランプは、支柱１に取り付けられる。汎用クランプが支柱１に取り付けられるためには、汎用クランプが支柱１に取り付け可能である程度に支柱１の本体部１１の外径を、小さくする必要がある。すなわち、支柱１の本体部１１の太さを細くする必要がある。このため、従来の実験用スタンド１００においては、支柱１を台座２に取り付けるために、支柱１に雄ネジ部１１１を設けることしかできない。
【００５８】
従来の実験用スタンド１００においては、支柱１に設けられた雄ネジ部１１１と雌ネジ部材３との螺合による支柱１と台座２との締結だけでは、実験用スタンド１００の操作時に支柱１は台座２に対して回転し得る。実験用スタンド１００の操作時に支柱１が台座２に対して回転する場合、実験を正しく行うことは難しい。
【００５９】
本実施の形態の実験用スタンド１００においては、汎用クランプが取り付けられる支柱１の本体部１１の外径を細く維持しつつ、操作時において支柱１が台座２に対して回転することを抑制するための係合部１２１を張出部１２に設けることができる。
【００６０】
本実施の形態に係る実験用スタンド１００によれば、少なくとも１つの係合部１２１は、支柱１が台座２に対して回転することを抑制するように、少なくとも１つの被係合部２１と係合する。これにより、実験用スタンド１００の操作時において、支柱１が台座２に対して回転することが抑制される。
【００６１】
実験用スタンド１００の操作時において、支柱１が台座２に対して回転することが抑制されるため、支柱１と台座２との係合が緩むことにより支柱１と台座２とが分離することが抑制される。したがって、実験用スタンド１００の操作時の安定性が向上する。
【００６２】
雌ネジ部材３が雄ネジ部１１１と螺合し、かつ張出部１２とで台座２を挟み込んでいるため、支柱１と台座２とは固定される。また、雌ネジ部材３が張出部１２とで台座２を挟み込んでいるため、支柱１が台座２から抜けることが抑制される。
【００６３】
雌ネジ部材３が雄ネジ部１１１に対して着脱可能であることにより、実験用スタンド１００は分解および組立可能であるため、必要に応じて実験用スタンド１００を分解することができる。よって、実験用スタンド１００の非使用時および輸送時などに、場所を取らないようにすることができる。
【００６４】
本体部１１と張出部１２とが別体である場合、実験用スタンド１００の製造に際して、既存の部材を流用し、加工することで実験用スタンド１００を製造することができる。本体部１１には、例えば、丸棒または角棒などが用いられ得る。張出部１２には、例えば、フランジなどが用いられ得る。これにより、実験用スタンド１００の製造コストを小さくすることができる。
【００６５】
仮に、本体部１１とは別体である張出部１２が、本体部１１に対して回転する場合、張出部１２の係合部１２１が台座２の被係合部２１と係合していたとしても、張出部１２が本体部１１に対して回転し得る。このため、支柱１が台座２に対して回転し得るため、支柱１が台座２に対して回転することが抑制される効果が損なわれる。張出部１２が本体部１１に対して固定されることにより、張出部１２が本体部１１に対して回転することが抑制されるため、支柱１が台座２に対して回転することが抑制される。
【００６６】
ピン部材４が凹部１１２に対して嵌められているため、張出部１２が本体部１１に対して回転することが抑制される。
【００６７】
ピン部材４に沿って接触するように構成されている凹部１１２にピン部材４が嵌合している場合、ピン部材４と凹部１１２との接触面積は、ピン部材４が本体部１１の凸形状の曲面と接触する場合の接触面積よりも大きくなる。このため、ピン部材４は、本体部１１を張出部１２に対してさらに強固に固定できる。よって、支柱１が台座２に対して回転することがさらに抑制される。
【００６８】
張出部１２が貫通孔１２ＴＨを有し、本体部１１が貫通孔１２ＴＨに挿入されている場合、本体部１１の全周は、張出部１２によって支持される。このため、本体部１１が台座２に対して全周にわたってグラつくことが抑制される。よって、実験用スタンド１００は、高い安定性を得る。
【００６９】
第１被係合部２１ａが第１係合部１２１ａに係合し、第２被係合部２１ｂが第２係合部１２１ｂに係合している場合、第１被係合部２１ａおよび第１係合部１２１ａならびに第２被係合部２１ｂおよび第２係合部１２１ｂによって支柱１が台座２に対して回転することが抑制される。このため、１つの被係合部２１および１つの係合部１２１によって支柱１が台座２に対して回転することが抑制される場合よりも、支柱１が台座２に対して回転することがさらに抑制される。
【００７０】
第１係合部１２１ａおよび第２係合部１２１ｂが本体部１１を挟んで配置されているため、１つの被係合部２１および１つの係合部１２１が本体部１１に対して片方側にのみ設けられている場合よりも、支柱１が台座２に対して回転することがさらに抑制される。
【００７１】
第１係合部１２１ａおよび第２係合部１２１ｂが本体部１１の中心に対して点対称に設けられている場合、支柱１を台座２に対して１８０度回転させることで、係合部１２１および被係合部２１の位置を合わせることができる。これにより、実験用スタンド１００の製造工程において、支柱１および台座２の位置合わせが容易になる。
【００７２】
支柱１および台座２に位置合わせマークＭＫが設けられることにより、実験用スタンド１００の製造工程において、支柱１および台座２の位置合わせが容易になる。
【００７３】
係合部１２１が張出部１２に設けられていることにより、係合部１２１を設けるために本体部１１の外径を大きくする必要がない。このため、本体部１１の外形を通常の実験用スタンドの支柱１の外形と同様にすることができる。そのため、通常の実験用スタンドの支柱に用いられるクランプなどを、本実施の形態の実験用スタンド１００の本体部１１に用いることができる。すなわち、本実施の形態における実験用スタンド１００は、通常の実験用スタンドと互換性がある。
【００７４】
なお、台座２は、例えば平型形状を有していてもよい。平型形状の台座２は、平面視において四角形状を有している。台座２が平型形状を有する場合、高さ調整部材２ｂは四角形状の下側四隅に取り付けられている。
【００７５】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００７６】
１  支柱、２  台座、３  雌ネジ部材、４  ピン部材、１１  本体部、１２  張出部、１２Ｉ  内周面、１２Ｏ  外周面、１２ＴＨ  貫通孔、１２ＳＨ  横穴、２１  被係合部、２１ａ  第１被係合部、２１ｂ  第２被係合部、１１１  雄ネジ部、１１２  凹部、１２１  係合部、１２１ａ  第１係合部、１２１ｂ  第２係合部。
【図１】
0003223994.tif 000003
【図２】
0003223994.tif 000004
【図３】
0003223994.tif 000005
【図４】
0003223994.tif 000006
【図５】
0003223994.tif 000007
【図６】
0003223994.tif 000008
【図７】
0003223994.tif 000009
【図８】
0003223994.tif 000010